【手続補正書】
【提出日】平成17年6月29日(2005.6.29)
【手続補正１】
【補正対象書類名】明細書
【補正対象項目名】特許請求の範囲
【補正方法】変更
【補正の内容】
【特許請求の範囲】
【請求項１】  バインダーを含有する低ＶＯＣ周囲硬化性塗料組成物であって、
前記バインダーは、
ＧＰＣ重量平均分子量が３，０００を超えない線状または分岐状脂環式成分含有反応性オリゴマーを含有するヒドロキシル成分であって、多分散性が１．７を超えない前記反応性オリゴマーを提供するために２工程プロセスにより製造され、前記反応性オリゴマーは少なくとも２つのヒドロキシル基を有し、平均で前記ヒドロキシル基の少なくとも１つは第一ヒドロキシル基であるヒドロキシル成分と、
少なくとも２つのイソシアネート基を備えるオリゴマー架橋剤を含有する架橋成分とを含有し、
ヒドロキシル基の当量に対するイソシアネートの当量の比は、０．５／１から３．０／１の範囲であることを特徴とする組成物。
【請求項２】  前記ヒドロキシル成分は、該ヒドロキシル成分の総重量に基づいて０．１重量パーセントから９５重量パーセントのアクリルポリマー、ポリエステル、またはその混合物を、さらに含有することを特徴とする請求項１に記載の組成物。
【請求項３】  前記ヒドロキシル成分は、４０重量パーセントまでの分散アクリルポリマーをさらに含有し、該百分率はバインダーの総重量に基づくことを特徴とする請求項２に記載の組成物。
【請求項４】  前記アクリルポリマーは３０００を超えるＧＰＣ重量平均分子量を有することを特徴とする請求項２に記載の組成物。
【請求項５】  前記ポリエステルは１５００を超えるＧＰＣ重量平均分子量を有することを特徴とする請求項２に記載の組成物。
【請求項６】  前記架橋成分は、アルジミン、ケチミン、ポリアスパラギンエステル、およびその混合物からなる群から選択される非イソシアネート架橋剤をさらに含有することを特徴とする請求項１に記載の組成物。
【請求項７】  前記反応性オリゴマーは、オリゴマーの酸と一官能性エポキシとの反応によって生成されることを特徴とする請求項１に記載の組成物。
【請求項８】  前記オリゴマーの酸は、多官能性アルコールとモノマーの無水物との反応生成物であることを特徴とする請求項７に記載の組成物。
【請求項９】  前記オリゴマーの酸は、多官能性アルコールと理論量未満のモノマーの無水物との反応生成物であって、少なくとも１つのヒドロキシル官能基を前記オリゴマーの酸に提供することを特徴とする請求項７に記載の組成物。
【請求項１０】  前記一官能性エポキシは、エチレンオキシド、ブチレンオキシド、プロピレンオキシド、およびその混合物からなる群から選択されることを特徴とする請求項７に記載の組成物。
【手続補正２】
【補正対象書類名】明細書
【補正対象項目名】００９９
【補正方法】変更
【補正の内容】
【００９９】
*  当初に、および１時間後に測定した、Ｚａｈｎ２カップを用いて秒で表した粘度
** 分で表した乾燥時間
以下に、本発明の好ましい態様を示す。
１．  バインダーを含有する低ＶＯＣ周囲硬化性塗料組成物であって、
前記バインダーは、
ＧＰＣ重量平均分子量が３，０００を超えない線状または分岐状脂環式成分含有反応性オリゴマーを含有するヒドロキシル成分であって、多分散性が１．７を超えない前記反応性オリゴマーを提供するために２工程プロセスにより製造されれ、前記反応性オリゴマーは少なくとも２つのヒドロキシル基を有し、平均で前記ヒドロキシル基の少なくとも１つは第一ヒドロキシル基であるヒドロキシル成分と、
少なくとも２つのイソシアネート基を備えるオリゴマー架橋剤を含有する架橋成分とを含有し、
ヒドロキシル基の当量に対するイソシアネートの当量の比は、０．５／１から３．０／１の範囲であることを特徴とする組成物。
２．  前記ヒドロキシル成分は、該ヒドロキシル成分の総重量に基づいて０．１重量パーセントから９５重量パーセントのアクリルポリマー、ポリエステル、またはその混合物を、さらに含有することを特徴とする１．に記載の組成物。
３．  前記ヒドロキシル成分は、４０重量パーセントまでの分散アクリルポリマーをさらに含有し、該百分率はバインダーの総重量に基づくことを特徴とする２．に記載の組成物。
４．  前記アクリルポリマーは３０００を超えるＧＰＣ重量平均分子量を有することを特徴とする２．に記載の組成物。
５．  前記ポリエステルは１５００を超えるＧＰＣ重量平均分子量を有することを特徴とする２．に記載の組成物。
６．  前記架橋成分は、アルジミン、ケチミン、ポリアスパラギンエステル、およびその混合物からなる群から選択される非イソシアネート架橋剤をさらに含有することを特徴とする１．に記載の組成物。
７．  前記反応性オリゴマーは、オリゴマーの酸と一官能性エポキシとの反応によって生成されることを特徴とする１．に記載の組成物。
８．  前記オリゴマーの酸は、多官能性アルコールとモノマーの無水物との反応生成物であることを特徴とする７．に記載の組成物。
９．  前記オリゴマーの酸は、多官能性アルコールと理論量未満のモノマーの無水物との反応生成物であって、少なくとも１つのヒドロキシル官能基を前記オリゴマーの酸に提供することを特徴とする７．に記載の組成物。
１０．  前記一官能性エポキシは、エチレンオキシド、ブチレンオキシド、プロピレンオキシド、およびその混合物からなる群から選択されることを特徴とする７．に記載の組成物。
１１．  前記オリゴマーの酸および前記一官能性エポキシを、平方センチメートル当たり０から１４キログラムの範囲のゲージ圧で反応させることを特徴とする７．に記載の組成物。
１２．  スズ化合物、第三アミン、およびその混合物からなる群から選択される触媒をさらに含有することを特徴とする１．に記載の組成物。
１３．  亜リン酸塩化合物をさらに含有することを特徴とする１．に記載の組成物。
１４．  顔料をさらに含有することを特徴とする１．に記載の組成物。
１５．  基体の表面に塗膜を形成する方法であって、前記方法は、
低ＶＯＣ周囲硬化性塗料組成物のバインダーのヒドロキシル成分と架橋成分とを混合してポットミックスを形成する工程であって、前記ヒドロキシル成分は、ＧＰＣ重量平均分子量が３，０００を超えない線状または分岐状脂環式成分含有反応性オリゴマーを含有し、および多分散性が１．７を超えない前記反応性オリゴマーを提供するために２工程プロセスにより製造され、前記反応性オリゴマーは少なくとも２つのヒドロキシル基を有し、平均でヒドロキシル基の少なくとも１つは第一ヒドロキシル基であり、前記架橋成分は、少なくとも２つのイソシアネート基を備えるオリゴマー架橋剤を含有し、ヒドロキシル基の当量に対するイソシアネートの当量の比は、０．５／１から３．０／１の範囲である工程と、
前記ポットミックスの層を前記表面に塗布する工程と、
周囲条件下で前記層を硬化して前記基体の前記表面に前記塗膜を形成する工程とを具えることを特徴とする方法。
１６．  前記反応性オリゴマーは、オリゴマーの酸と一官能性エポキシとを反応させることによって生成されることを特徴とする１５．に記載の方法。
１７．  前記オリゴマーの酸は、多官能性アルコールと、理論量未満のモノマーの無水物とを反応させることによって生成されて、少なくとも１つのヒドロキシル官能基を前記オリゴマーの酸に提供することを特徴とする１６．に記載の方法。
１８．  反応性オリゴマーの固形分の重量に基づいて、０．１重量パーセントから３重量パーセントの範囲の亜リン酸塩化合物を添加することにより、前記塗料組成物のＡＰＨＡ明度を０から８０の範囲に下げる工程をさらに具えることを特徴とする１５．に記載の方法。
１９．  １５．に記載された方法により被覆されたことを特徴とする基体。
２０．  バインダーを含有する低ＶＯＣ周囲硬化性塗料組成物であって、前記バインダーは、
ＧＰＣ重量平均分子量が３，０００を超えず、および少なくとも２つのヒドロキシル基を有し、平均で前記ヒドロキシル基の少なくとも１つは第一ヒドロキシル基である線状または分岐状脂環式成分含有反応性オリゴマーを含有するヒドロキシル成分であって、多分散性が１．７を超えない前記反応性オリゴマーを生成するために、前記反応性オリゴマーは、多官能性アルコールとモノマー無水物とを反応させ、続いて、エチレンオキシド、ブチレンオキシド、プロピレンオキシド、およびその混合物からなる群から選択される一官能性エポキシとの反応により生成されるヒドロキシル成分と、
少なくとも２つのイソシアネート基を備えるオリゴマー架橋剤を含有する架橋成分とを含有し、
ヒドロキシル基の当量に対するイソシアネートの当量の比は、０．５／１から３．０／１の範囲であることを特徴とする組成物。
２１．  前記反応性オリゴマーは、該反応性オリゴマーのオリゴマー鎖に均一に分布する２から１０のヒドロキシル基を有することを特徴とする１．、１５．または２０．に記載の周囲硬化性塗料組成物。
２２．  前記反応性オリゴマーは、２から４の第一ヒドロキシル基を有することを特徴とする１．、１５．または２０．に記載の周囲硬化性塗料組成物。